(57)【要約】【課題】クロストークの発生を抑制し、高品位な画像を表示する。【解決手段】画像データに基づいて補正値を求める算出部３１０と、算出部３１０が求めた補正値により画像データを補正する補正部３２０と、を備え、算出部３１０は、複数の補正パラメーターからいずれかを選択し、選択した補正パラメーターを用いて、水平ラインごとの補正値を求め、補正部３２０は、算出部３１０が算出した水平ラインごとの補正値を用いて画像データを補正するプロジェクター１００。【選択図】図２
2018072412.tif 000002
【特許請求の範囲】
【請求項１】
入力された画像データに基づいて画像を表示する表示装置であって、
前記画像データに基づいて補正値を求める算出部と、
前記算出部が求めた前記補正値により画像データを補正する補正部と、
マトリクス状に配置された表示画素を有し、前記補正部が補正した画像データに基づい
て、それぞれの前記表示画素に水平ライン単位で描画を行うことにより、画像を表示する
表示部と、を備え、
前記算出部は、複数の補正パラメーターからいずれかを選択し、選択した前記補正パラ
メーターを用いて、前記水平ラインごとの補正値を求め、
前記補正部は、前記算出部が算出した水平ラインごとの補正値を用いて前記画像データ
を補正する表示装置。
【請求項２】
前記算出部は、前記画像データに含まれる階調値と、予め設定された基準階調値とを比
較する比較部を備え、
前記比較部の比較結果に基づき、複数の前記補正パラメーターからいずれかを選択する
請求項１記載の表示装置。
【請求項３】
前記算出部が用いる複数の前記補正パラメーターは、前記画像データに基づく画像が、
第１の領域と、前記第１の領域と輝度差を有する第２の領域とを含む画像であり、前記画
像を表示する場合に前記第２の領域の周囲に生じるクロストークを低減させる補正に用い
るパラメーターであって、
前記画像データの階調値が前記基準階調値よりも低い場合に前記クロストークを補正す
る第１補正係数と、前記画像データの階調値が前記基準階調値よりも高い場合に発生する
前記クロストークを補正する第２補正係数と、を含む請求項２記載の表示装置。
【請求項４】
前記算出部は、前記クロストークが発生する前記第２の領域の周囲の階調値を、前記基
準階調値から所定範囲内の階調値となるように補正する請求項３記載の表示装置。
【請求項５】
前記算出部は、前記画像データに基づき前記第１の領域としての背景と、前記第２の領
域としての表示オブジェクトとを含む画像を表示する場合に、前記第１の領域の階調値を
、前記基準階調値として用いる請求項３又は４に記載の表示装置。
【請求項６】
前記算出部は、前記画像データの階調値と、前記基準階調値との差分を出力する減算部
と、
前記減算部から出力される差分に、前記補正パラメーターとしての前記第１補正係数を
乗算して乗算値を出力する第１乗算部と、
前記減算部から出力される差分に、前記補正パラメーターとしての前記第２補正係数を
乗算して乗算値を出力する第２乗算部と、
前記比較部の比較結果に応じて、前記第１乗算部が出力する乗算値と、前記第２乗算部
が出力する乗算値とのいずれか一方を選択する選択部と、
前記選択部により選択される乗算値を１水平ライン分積算して積算値を出力する積算部
と、
前記積算部により出力される積算値に、第３補正係数を乗算して前記補正値を算出する
第３乗算部と、
を備える請求項３から５のいずれか一項に記載の表示装置。
【請求項７】
前記算出部は、前記画像データの階調値と前記基準階調値との差を求める減算部と、
前記減算部から出力される差分を、１水平ライン分積算して積算値を出力する積算部と
、
前記積算部の出力する積算値に、複数の前記補正パラメーターとしての第１補正係数を
乗算して乗算値を出力する第１乗算部と、
前記積算部の出力する積算値に、複数の前記補正パラメーターとしての第２補正係数を
乗算して乗算値を出力する第２乗算部と、
前記積算部により出力される積算値に基づいて、前記第１乗算部が出力する前記乗算値
と、前記第２乗算部が出力する前記乗算値とのいずれか一方を選択する選択部と、
前記選択部により選択される前記乗算値に、第３補正係数を乗算して前記補正値を算出
する第３乗算部と、
を備える請求項１記載の表示装置。
【請求項８】
入力された画像データに基づいて画像を表示する表示装置の制御方法であって、
前記画像データに基づいて補正値を求めるステップと、
求めた前記補正値により画像データを補正するステップと、
マトリクス状に配置された表示画素を有する表示部に、前記補正するステップで補正し
た画像データに基づいて、それぞれの前記表示画素に水平ライン単位で描画を行うことに
より、画像を表示するステップと、を有し、
前記補正値を求めるステップは、複数の補正パラメーターからいずれかを選択し、選択
した前記補正パラメーターを用いて前記水平ラインごとの補正値を求め、
前記補正するステップは、前記補正値を求めるステップで求めた水平ラインごとの補正
値を用いて前記画像データを補正する表示装置の制御方法。
【発明の詳細な説明】
【技術分野】
【０００１】
本発明は、表示装置、及び表示装置の制御方法に関する。
【背景技術】
【０００２】
従来、輝度差のある画像で発生するクロストークを抑制する技術が知られている（例え
ば、特許文献１及び２参照）。
特許文献１及び２の画像信号補正回路は、入力される画像信号に基づき、画像信号を補
正する補正信号を求め、求めた補正信号により画像信号を補正してクロストークを抑制し
ている。
【先行技術文献】
【特許文献】
【０００３】
【特許文献１】特開２００２−１１６７３５号公報
【特許文献２】特開２００６−９１８００号公報
【発明の概要】
【発明が解決しようとする課題】
【０００４】
しかしながら、特許文献１及び２の画像信号補正回路であっても、クロストークの発生
を抑制できない場合があった。例えば、輝度が異なる２つの領域を有する画像を表示させ
る場合に、輝度の高い領域と輝度の低い領域との両方の周囲にクロストークが生じている
と、これらのクロストークを両方とも補正することができない場合があった。
本発明は、クロストークの発生を抑制し、高品位な画像を表示することを目的とする。
【課題を解決するための手段】
【０００５】
上記目的を達成するために、本発明は、入力された画像データに基づいて画像を表示す
る表示装置であって、前記画像データに基づいて補正値を求める算出部と、前記算出部が
求めた前記補正値により画像データを補正する補正部と、マトリクス状に配置された表示
画素を有し、前記補正部が補正した画像データに基づいて、それぞれの前記表示画素に水
平ライン単位で描画を行うことにより、画像を表示する表示部と、を備え、前記算出部は
、複数の補正パラメーターからいずれかを選択し、選択した前記補正パラメーターを用い
て、前記水平ラインごとの補正値を求め、前記補正部は、前記算出部が算出した水平ライ
ンごとの補正値を用いて前記画像データを補正する。
本発明によれば、画像データの水平ラインごとに、補正に用いる補正パラメーターを選
択し、選択した補正パラメーターを用いて水平ラインごとの補正値を求めることができる
。従って、画像データの水平ラインごとに求めた補正値により画像データを補正して、ク
ロストークの発生を抑制することができる。このため、高品位な画像を表示することがで
きる。
【０００６】
また、本発明は、前記算出部は、前記画像データに含まれる階調値と、予め設定された
基準階調値とを比較する比較部を備え、前記比較部の比較結果に基づき、複数の前記補正
パラメーターからいずれかを選択する。
本発明によれば、補正パラメーターを、画像データに含まれる階調値と、基準階調値と
の比較結果に基づいて選択することができる。従って、選択した補正パラメーターを用い
て水平ラインごとに補正値を求め、画像データを補正することで、クロストークをより効
果的に抑制することができる。
【０００７】
また、本発明は、前記算出部が用いる複数の前記補正パラメーターは、前記画像データ
に基づく画像が、第１の領域と、前記第１の領域と輝度差を有する第２の領域とを含む画
像であり、前記画像を表示する場合に前記第２の領域の周囲に生じるクロストークを低減
させる補正に用いるパラメーターであって、前記画像データの階調値が前記基準階調値よ
りも低い場合に前記クロストークを補正する第１補正係数と、前記画像データの階調値が
前記基準階調値よりも高い場合に発生する前記クロストークを補正する第２補正係数と、
を含む。
本発明によれば、第２の領域の階調値が基準階調値よりも低い場合には、第１補正係数
を用いて補正値を求め、求めた補正値により画像データを補正することができる。また、
第２の領域の階調値が基準階調値よりも高い場合には、第２補正係数を用いて補正値を求
め、求めた補正値により画像データを補正することができる。このため、第２の領域の階
調値が基準階調値よりも低い場合であっても、また、第２の領域の階調値が基準階調値よ
りも高い場合であっても、対応する補正係数を選択して画像データを補正し、クロストー
クの発生を抑制することができる。
【０００８】
また、本発明は、前記算出部は、前記クロストークが発生する前記第２の領域の周囲の
階調値を、前記基準階調値から所定範囲内の階調値となるように補正する。
本発明によれば、第１補正係数又は第２補正係数を用いて画像データを補正することで
、第２の領域の周囲の階調値を、基準階調値から所定範囲内の階調値に補正することがで
きる。
【０００９】
また、本発明は、前記算出部は、前記画像データに基づき前記第１の領域としての背景
と、前記第２の領域としての表示オブジェクトとを含む画像を表示する場合に、前記第１
の領域の階調値を、前記基準階調値として用いる。
本発明によれば、背景としての第１の領域の階調値を基準階調値として、第２の領域と
しての表示オブジェクトの周囲に発生するクロストークを補正することができる。
【００１０】
また、本発明は、前記算出部は、前記画像データの階調値と、前記基準階調値との差分
を出力する減算部と、前記減算部から出力される差分に、前記補正パラメーターとしての
前記第１補正係数を乗算して乗算値を出力する第１乗算部と、前記減算部から出力される
差分に、前記補正パラメーターとしての前記第２補正係数を乗算して乗算値を出力する第
２乗算部と、前記比較部の比較結果に応じて、前記第１乗算部が出力する乗算値と、前記
第２乗算部が出力する乗算値とのいずれか一方を選択する選択部と、前記選択部により選
択される乗算値を１水平ライン分積算して積算値を出力する積算部と、前記積算部により
出力される積算値に、第３補正係数を乗算して前記補正値を算出する第３乗算部と、を備
える。
本発明によれば、画像データの階調値と、基準階調値との比較結果に基づいて第１乗算
部が出力する乗算値と、第２乗算部が出力する乗算値とのいずれか一方が選択される。選
択された乗算値を１水平ライン分積算した積算値に、第３補正係数を乗算して補正値が算
出される。従って、この補正値を用いて画像データを補正することで、画像に生じるクロ
ストークを抑制し、高品位な画像を表示することができる。
【００１１】
また、本発明は、前記算出部は、前記画像データの階調値と前記基準階調値との差を求
める減算部と、前記減算部から出力される差分を、１水平ライン分積算して積算値を出力
する積算部と、前記積算部の出力する積算値に、複数の前記補正パラメーターとしての第
１補正係数を乗算して乗算値を出力する第１乗算部と、前記積算部の出力する積算値に、
複数の前記補正パラメーターとしての第２補正係数を乗算して乗算値を出力する第２乗算
部と、前記積算部により出力される積算値に基づいて、前記第１乗算部が出力する前記乗
算値と、前記第２乗算部が出力する前記乗算値とのいずれか一方を選択する選択部と、前
記選択部により選択される前記乗算値に、第３補正係数を乗算して前記補正値を算出する
第３乗算部と、を備える。
本発明によれば、画像データの階調値と基準階調値との差分を、１水平ライン分積算し
た積算値に基づき補正パラメーターが選択される。画像データの階調値と基準階調値との
差分を１水平ライン分積算した積算値に、選択された補正パラメーターを乗算して得られ
た乗算値に基づいて補正値が算出される。従って、この補正値を用いて画像データを補正
することで、画像に生じるクロストークを抑制し、高品位な画像を表示することができる
。
【００１２】
上記課題を解決するため、本発明は、入力された画像データに基づいて画像を表示する
表示装置の制御方法であって、前記画像データに基づいて補正値を求めるステップと、求
めた前記補正値により画像データを補正するステップと、マトリクス状に配置された表示
画素を有する表示部に、前記補正するステップで補正した画像データに基づいて、それぞ
れの前記表示画素に水平ライン単位で描画を行うことにより、画像を表示するステップと
、を有し、前記補正値を求めるステップは、複数の補正パラメーターからいずれかを選択
し、選択した前記補正パラメーターを用いて前記水平ラインごとの補正値を求め、前記補
正するステップは、前記補正値を求めるステップで求めた水平ラインごとの補正値を用い
て前記画像データを補正する。
本発明によれば、画像データの水平ラインごとに、補正に用いる補正パラメーターを選
択し、選択した補正パラメーターを用いて水平ラインごとの補正値を求めることができる
。従って、画像データの水平ラインごとに求めた補正値により画像データを補正して、ク
ロストークの発生を抑制することができる。このため、高品位な画像を表示することがで
きる。
【図面の簡単な説明】
【００１３】
【図１】プロジェクターの構成を示すブロック図。
【図２】第１実施形態の画像補正部の構成を示すブロック図。
【図３】クロストークを補正前の画像と、従来の補正方法による補正後の画像とを示す図。
【図４】クロストークを補正前の画像と、従来の補正方法による補正後の画像とを示す図。
【図５】画像補正部の動作を示すフローチャート。
【図６】第１実施形態の画像補正部の構成を示すブロック図。
【発明を実施するための形態】
【００１４】
［第１実施形態］
以下、図面を参照して本発明の実施形態について説明する。
図１は、表示装置としてのプロジェクター１００の構成を示すブロック図である。プロ
ジェクター１００は、画像供給装置２００から送信される画像信号を受信し、受信した画
像信号を処理して、画像信号に基づく画像を投射対象に投射する。
本実施形態は、プロジェクター１００が画像を投射する投射対象がスクリーンＳＣであ
る場合を例にして説明する。投射対象は、スクリーンＳＣに限定されず、一様な平面であ
ってもよいし、曲面、不連続面あるいは凹凸を有する面などであってもよい。具体的には
、建物の壁面や物体の表面を投射対象とすることができる。
また、プロジェクター１００の設置方法は、平置きに限定されるものではなく、プロジ
ェクター１００を天井から吊り下げる天吊り設置や、壁面に掛ける壁掛け設置とすること
も可能である。
【００１５】
プロジェクター１００は、インターフェイス部（以下、Ｉ／Ｆと略記する）１５１を備
える。プロジェクター１００は、Ｉ／Ｆ部１５１を介して画像供給装置２００に接続され
る。Ｉ／Ｆ部１５１は、画像供給装置２００から送信される画像信号を受信し、受信した
画像信号を復調して画像データや、垂直同期信号、水平同期信号を取り出す。Ｉ／Ｆ部１
５１は、取り出した画像データや、垂直同期信号、水平同期信号を画像処理部１５３に出
力する。また、Ｉ／Ｆ部１５１は、垂直同期信号及び水平同期信号を後述する制御部１７
０に出力する。なお、図１では、Ｉ／Ｆ部１５１と制御部１７０とを接続する信号線の図
示を省略する。制御部１７０は、Ｉ／Ｆ部１５１から入力される垂直同期信号及び水平同
期信号に基づき、プロジェクター１００の各部を制御するタイミング信号やクロック信号
等を生成する。
【００１６】
Ｉ／Ｆ部１５１には、例えば、デジタル映像信号が入力されるＤＶＩインターフェイス
、ＵＳＢインターフェイス、ＬＡＮインターフェイス等を用いることができる。また、Ｉ
／Ｆ部１５１には、例えば、ＮＴＳＣ、ＰＡＬ、ＳＥＣＡＭ等のコンポジット映像信号が
入力されるＳ映像端子、コンポジット映像信号が入力されるＲＣＡ端子、コンポーネント
映像信号が入力されるＤ端子等を用いることができる。さらに、Ｉ／Ｆ部１５１には、Ｈ
ＤＭＩ（登録商標）規格に準拠したＨＤＭＩコネクター等の汎用インターフェイスを用い
ることができる。また、Ｉ／Ｆ部１５１は、アナログ映像信号をデジタル画像データに変
換するＡ／Ｄ変換回路を有し、ＶＧＡ端子等のアナログ映像端子により画像供給装置２０
０に接続される構成としてもよい。なお、Ｉ／Ｆ部１５１は、有線通信によって画像信号
の送受信を行ってもよく、無線通信によって画像信号の送受信を行ってもよい。
【００１７】
プロジェクター１００は、大きく分けて光学的な画像の形成を行う投射部１１０と、こ
の投射部１１０に入力される画像信号を電気的に処理する画像処理系とを備える。投射部
１１０は、光源部１１１、光変調装置１１２及び投射光学系１１５を備える。
【００１８】
光源部１１１は、キセノンランプ、超高圧水銀ランプ、ＬＥＤ（Light Emitting Diode
）、レーザー等の光源を備える。また、光源部１１１は、光源が発した光を光変調装置１
１２に導くリフレクター及び補助リフレクターを備えていてもよい。また、光源部１１１
は、投射光の光学特性を高めるためのレンズ群（図示略）、偏光板、又は光源が発した光
の光量を光変調装置１１２に至る経路上で低減させる調光素子等があってもよい。
【００１９】
光源部１１１は、光源駆動部１２１により駆動される。光源駆動部１２１は、バス１８
０に接続され、同じくバス１８０に接続された制御部１７０の制御によって光源部１１１
の光源を点灯及び消灯させる。
【００２０】
光変調装置１１２は、例えば、透過型の液晶パネル１１３を備える。本実施形態の光変
調装置１１２は、カラー画像の投射を行うため、ＲＧＢの三原色に対応した３枚の液晶パ
ネル１１３を備える。液晶パネル１１３は、複数の表示画素をマトリクス状に配置して構
成される。光変調装置１１２は、後述する画像処理系からの信号を受けて、液晶パネル１
１３に画像を形成する。光源部１１１から射出された光はＲＧＢの３色の色光に分離され
、各色光は対応する液晶パネル１１３に入射される。各液晶パネル１１３を通過して画像
光に変調された各色光はクロスダイクロイックプリズム等の合成光学系によって合成され
、投射光学系１１５に射出される。
【００２１】
光変調装置１１２は、透過型の液晶パネル１１３を３枚用いた構成に限らず、例えば３
枚の反射型の液晶パネル１１３を用いることも可能である。また、光変調装置１１２は、
１枚の液晶パネルとカラーホイールを組み合わせた方式、３枚のＤＭＤ（Digital Mirror
Device）を用いた方式、１枚のＤＭＤとカラーホイールを組み合わせた方式等により構
成してもよい。ここで、光変調装置１１２として１枚のみの液晶パネル又はＤＭＤを用い
る場合には、クロスダイクロイックプリズム等の合成光学系に相当する部材は不要である
。また、液晶パネル及びＤＭＤ以外にも、光源が発した光を変調可能な構成であれば問題
なく採用できる。
【００２２】
液晶パネル１１３の構成は、例えば、特開２００６−０９１８００号公報の開示する表
示パネルと同一の構成を有する。具体的には、液晶パネル１１３は、各液晶パネル１１３
を構成する液晶が一対の基板間に挟持される。この液晶パネル１１３については、駆動方
式によりいくつかに分類することができるが、例えば、画素電極を三端子型のスイッチン
グ素子により駆動するアクティブマトリクス型にあっては、おおよそ次のような構成とな
っている。すなわち、この種の液晶パネル１１３を構成する一対の基板のうち、一方の基
板には、複数の走査線と複数のデータ線とが互いに交差するように設けられる。また、こ
れらの交差部分の各々に対応して薄膜トランジスタのような三端子型のスイッチング素子
及び画素電極の対が設けられる。さらに、これらの画素電極が設けられる領域（表示領域
）の周辺には、走査線およびデータ線の各々を駆動するための周辺回路が設けられる。ま
た、他方の基板には画素電極に対向する透明な対向電極（共通電極）が設けられて、一定
の電位に維持されている。くわえて、両基板の各対向面には、液晶分子の長軸方向が両基
板間で例えば約９０度連続的に捻れるようにラビング処理された配向膜がそれぞれ設けら
れる一方、両基板の各背面側には配向方向に応じた偏光子がそれぞれ設けられる。
【００２３】
ここで、走査線とデータ線との交差部分に設けられたスイッチング素子は、走査線に印
加される走査信号がアクティブレベルになるとオンして、データ線にサンプリングされた
画像信号を画素電極に印加する。このため、画素電極と対向電極と両電極間に挟持された
液晶とからなる液晶容量には、対向電極の電位と画像信号の電位との差である電圧が印加
されることになる。この後、スイッチング素子がオフしても、液晶容量には、それ自身や
蓄積容量の容量性によって、印加された電圧が保持されることになる。
【００２４】
この際、画素電極と対向電極との間を通過する光は、両電極間の電圧実効値がゼロであ
れば、液晶分子の捻れに沿って約９０度旋光する一方、当該電圧実効値が大きくなるにつ
れて、液晶分子が電界方向に傾く結果、その旋光性が消失する。このため、透過型におい
て、入射側と背面側とに、配向方向に合わせて偏光軸が互いに直交する偏光子をそれぞれ
配置させた場合（ノーマリーホワイトの場合）、両電極間の電圧実効値がゼロであれば、
光が透過するので白（透過率が大になる）表示になる。また、電圧実効値が大きくなるに
つれて光が遮断して、ついには黒（透過率が小になる）表示になる。従って、画素電極に
印加する電圧を画素毎に制御することによって、所定の表示が可能となっている。
【００２５】
光変調装置１１２は、光変調装置駆動部１２２により駆動される。光変調装置駆動部１
２２は、バス１８０に接続され、同じくバス１８０に接続された制御部１７０の制御に従
って動作する。
光変調装置駆動部１２２には、画像処理部１５３からＲ，Ｇ，Ｂの各原色に対応する画
像データ（後述する補正画像データＤ５）が入力される。光変調装置駆動部１２２は、入
力された画像データを液晶パネル１１３の動作に適したデータ信号に変換する。光変調装
置駆動部１２２は、変換したデータ信号に基づいて、各液晶パネル１１３の各画素に電圧
を印加し、各液晶パネル１１３に画像を形成する。
【００２６】
投射光学系１１５は、投射レンズ等を備え、画像が描画された液晶パネル１１３によっ
て変調された画像光を投射して、スクリーンＳＣ上に画像を結像させる。
【００２７】
プロジェクター１００は、操作パネル１３１及び入力処理部１３３を備える。操作パネ
ル１３１は、入力処理部１３３に接続される。入力処理部１３３は、制御部１７０の制御
に従い、プロジェクター１００の動作状態や設定状態に応じて操作パネル１３１のインジ
ケーターランプを適宜点灯又は点滅させる。操作パネル１３１のスイッチが操作されると
、操作されたスイッチに対応する操作信号が入力処理部１３３から制御部１７０に出力さ
れる。
【００２８】
プロジェクター１００は、リモコン５から送信される赤外線信号を受信するリモコン受
光部１３５を有する。リモコン受光部１３５は、リモコン５から受光した赤外線信号をデ
コードして、リモコン５における操作内容を示す操作信号を生成し、制御部１７０に出力
する。
【００２９】
プロジェクター１００は、無線通信部１３７を備える。無線通信部１３７は、バス１８
０に接続される。無線通信部１３７は、図示しないアンテナやＲＦ回路等を備え、制御部
１７０の制御の下、例えば、タブレット端末やスマートフォン等の端末装置（図示略）と
の間で無線通信規格に準拠した通信を行う。
【００３０】
プロジェクター１００が備える画像処理系は、プロジェクター１００の全体を統合的に
制御する制御部１７０を中心に構成され、その他に、記憶部１６０、画像処理部１５３、
フレームメモリー１５５を備える。制御部１７０、記憶部１６０、画像処理部１５３、フ
レームメモリー１５５の各部はそれぞれバス１８０に接続される。
【００３１】
記憶部１６０は、フラッシュメモリー、ＥＥＰＲＯＭ等の不揮発性のメモリーである。
記憶部１６０は、プロジェクター１００の制御に使用される制御プログラムや、プロジェ
クター１００が投射する画像データを記憶する。
【００３２】
制御部１７０は、図示しないＣＰＵ、ＲＯＭ、ＲＡＭおよびＤＲＡＭ等を備え、ＲＯＭ
に記憶した基本制御プログラムをＲＡＭ又はＤＲＡＭに読み出し、ＣＰＵにより実行して
、プロジェクター１００の各部を制御する。
【００３３】
画像処理部１５３は、Ｉ／Ｆ部１５１から入力される画像データを、フレームメモリー
１５５に展開して処理する。画像処理部１５３が行う処理には、例えば、解像度変換（ス
ケーリング）処理又はリサイズ処理、歪み補正等の形状補正処理、デジタルズーム処理、
色調補正処理、輝度補正処理等が含まれる。画像処理部１５３は、制御部１７０により指
定された処理を実行し、必要に応じて、制御部１７０から入力されるパラメーターを使用
して処理を行う。また、画像処理部１５３は、上記のうち複数の処理を組み合わせて実行
することも勿論可能である。
また、画像処理部１５３は、画像補正部３００を備える。画像補正部３００の詳細につ
いては、図２を参照しながら説明する。
【００３４】
図２は、画像補正部３００の構成を示すブロック図である。
画像補正部３００は、算出部３１０と、補正部３２０とを備える。
算出部３１０には、画像処理部１５３の備える処理部（図示略）により処理された画像
データ（以下、Ｄ１と表記する）が入力される。算出部３１０は、入力された画像データ
Ｄ１に基づき、表示オブジェクトの周囲に生じる横クロストークを補正する補正値（パラ
メーター）を算出する。処理部は、例えば、上述した解像度変換（スケーリング）処理や
、リサイズ処理、歪み補正等の形状補正処理、デジタルズーム処理、色調補正処理、輝度
補正処理のうちのいずれか１つ又は複数を行う。
補正部３２０は、算出部３１０が算出した補正値を用いて画像データを補正する。
【００３５】
算出部３１０は、減算器（減算部）３１１と、第１乗算器（第１乗算部）３１２と、第
２乗算器（第２乗算部）３１３と、セレクター（選択部）３１４と、比較器（比較部）３
１５と、積分器（積算部）３１６と、ラッチ回路３１７と、第３乗算器（第３乗算部）３
１８とを備える。補正部３２０は、遅延器３２１と、加算器３２２とを備える。
【００３６】
減算器３１１には、画像データＤ１と、基準データＲｅｆとが入力される。画像データ
Ｄ１は、画像データＤ１を構成する各画素の階調値（明るさ）を示す情報を有するデジタ
ル形式のデータである。基準データＲｅｆは、一定の階調値を示すデジタル形式のデータ
である。基準データＲｅｆは、記憶部１６０に記憶され、制御部１７０が記憶部１６０か
ら読み出し、パラメーターとして画像処理部１５３に出力する。本実施形態では、基準デ
ータＲｅｆの階調値として、最高階調である白色と、最低階調である黒色とのほぼ中間の
階調（中間調）を用いる。また、基準データＲｅｆの階調値として画像データの背景とな
る領域（後述の背景領域５１）の階調値を用いてもよい。基準データＲｅｆは、本発明の
「基準階調値」に相当する。
減算器３１１は、画像データＤ１の階調値と基準データＲｅｆが示す階調値との差分を
算出し、算出した差分を画像データＤ２として第１乗算器３１２と第２乗算器３１３とに
出力する。
【００３７】
第１乗算器３１２は、入力される画像データＤ２に補正係数Ｌを乗算して画像データＤ
３を生成する。第１乗算器３１２は、生成した画像データＤ３をセレクター３１４に出力
する。第２乗算器３１３は、画像データＤ２に補正係数Ｈを乗算して画像データＤ４を生
成する。第２乗算器３１３は、生成した画像データＤ３をセレクター３１４に出力する。
補正係数Ｌ及びＨは、画像データＤ１に基づく画像に、輝度差を有する領域が含まれる
場合に、これらの領域の周囲に生じるクロストークを低減させる補正に用いるパラメータ
ーである。補正係数Ｌは、画像データＤ１の階調値が基準データＲｅｆの階調値よりも低
い場合に横クロストークの補正に用いるパラメーターである。具体的には、補正係数Ｌは
、画像データＤ１の階調値を、基準データＲｅｆの階調値から予め設定された範囲内の階
調値となるように補正するパラメーターである。また、補正係数Ｈは、画像データＤ１の
階調値が基準データＲｅｆの階調値よりも高い場合に横クロストークの補正に用いるパラ
メーターである。具体的には、補正係数Ｈは、画像データＤ１の階調値を、基準データＲ
ｅｆの階調値から予め設定された範囲内の階調値となるように補正するパラメーターであ
る。
補正係数Ｌ及びＨは、本発明の「複数の補正パラメーター」に相当する。また、補正係
数Ｌは、本発明の「第１補正係数」に相当し、補正係数Ｈは、本発明の「第２補正係数」
に相当する。
【００３８】
比較器３１５には、画像データＤ１と、基準データＲｅｆとが入力される。比較器３１
５は、画像データＤ１の階調値と、基準データＲｅｆの階調値とを比較し、比較結果に基
づいてセレクター３１４に第１選択信号又は第２選択信号を出力する。
比較器３１５は、画像データの階調値が基準データＲｅｆの階調値よりも小さい場合、
第１選択信号をセレクター３１４に出力する。また、比較器３１５は、画像データの階調
値が基準データＲｅｆの階調値よりも大きい場合、第２選択信号をセレクター３１４に出
力する。また、比較器３１５は、画像データの階調値と、基準データＲｅｆの階調値とが
同一である場合には、第１及び第２選択信号のいずれも出力しない。
【００３９】
セレクター３１４には、第１乗算器３１２が出力する画像データＤ３と、第２乗算器３
１３が出力する画像データＤ４とが入力される。また、セレクター３１４には、比較器３
１５が出力する第１選択信号又は第２選択信号が入力される。
セレクター３１４は、比較器３１５から第１選択信号が入力される場合、画像データＤ
３を選択して積分器３１６に出力する。また、セレクター３１４は、比較器３１５から第
２選択信号が入力される場合、画像データＤ４を選択して積分器３１６に出力する。
【００４０】
積分器３１６には、セレクター３１４が出力する画像データＤ３又は画像データＤ４が
入力される。
積分器３１６は、入力される画像データＤ３又は画像データＤ４を順次積分（累積）す
る。積分器３１６は、Ｉ／Ｆ部１５１から入力される水平同期信号に基づいて、水平方向
の１ライン分の画像データＤ３（又はＤ４）が蓄積されたと判定すると、積分結果である
積分値Ｉｎｔをラッチ回路３１７に出力する。
【００４１】
ラッチ回路３１７は、積分器３１６が出力する積分値Ｉｎｔをラッチする。ラッチ回路
３１７は、ラッチした積分値Ｉｎｔを所定のタイミングで第３乗算器３１８に出力する。
【００４２】
第３乗算器３１８は、積分器３１６から入力される積分値Ｉｎｔに、調整係数Ｋを乗算
し、乗算結果を補正値Ｉｇｒとして加算器３２２に出力する。調整係数Ｋは、本発明の「
第３補正係数」に相当する。
【００４３】
遅延器３２１は、減算器３１１から第３乗算器３１８までの演算に要する期間、画像デ
ータＤ１を遅延させ、遅延させた画像データＤ１を加算器３２２に出力する。
加算器３２２は、補正値Ｉｇｒと、この補正値Ｉｇｒにタイミングを合わせて遅延させ
た画像データＤ１とを加算し、加算結果を補正画像データＤ５として後段の処理部（図示
略）に出力する。
画像処理部１５３は、画像補正部３００により補正され、フレームメモリー１５５に展
開された補正画像データＤ５を読み出し、光変調装置駆動部１２２に出力する。光変調装
置駆動部１２２は、入力された補正画像データＤ５を液晶パネル１１３の動作に適したデ
ータ信号に変換し、変換したデータ信号に基づいて、各液晶パネル１１３の各画素に電圧
を印加し、各液晶パネル１１３に画像を形成する。これにより、光源部１１１から射出さ
れた光が、液晶パネル１１３に形成された画像によって変調され、変調された光（画像光
）が、投射光学系１１５によってスクリーンＳＣに投射される。
【００４４】
図３及び図４を参照しながら横クロストークについて説明する。図３及び図４は、スク
リーンＳＣに表示される画像５０を示す。さらに図３及び図４には、クロストークを補正
する前の画像５０と、従来の補正方法によりクロストークを補正した補正後の画像５０と
を示す。
画像データＤ１に基づく画像として、灰色の背景領域５１に、表示オブジェクトとして
の白色領域５２を重ねて表示する画像が含まれる場合、背景領域５１と白色領域５２の輝
度の差が大きいと、横クロストークが生じる場合がある。例えば、横クロストークとして
、白色領域５２に水平方向（左右方向）で隣接する隣接領域５５の輝度が背景領域５１よ
りも暗い（又は明るい）輝度で表示される。また、背景領域５１に、表示オブジェクトと
して黒色領域５３を重ねて表示する画像が含まれる場合、背景領域５１と黒色領域５３の
輝度の差が大きいと、横クロストークが生じる場合がある。例えば、横クロストークとし
て、黒色領域５３に水平方向で隣接する隣接領域５７の輝度が背景領域５１よりも暗い（
又は明るい）輝度で表示される場合がある。図３の補正前の画像５０には、隣接領域５５
及び隣接領域５７の輝度が背景領域５１の輝度よりも暗く表示される横クロストークが、
隣接領域５５及び隣接領域５７の両方で発生している場合を示す。背景領域５１は、本発
明の「第１の領域」に相当する。また、白色領域５２及び黒色領域５３は、本発明の「第
２の領域」に相当する。
【００４５】
従来の横クロストークの補正方法は、画像データの階調値と、基準データＲｅｆの階調
値（例えば、中間調）との差分を画像データの水平方向の１ライン分積分し、積分した積
分値に一定の調整係数Ｋを乗算して補正値を求める。そして、求めた補正値を用いて画像
データを補正し、横クロストークの発生を抑制している。この従来の補正方法では、図３
に示す隣接領域５５及び隣接領域５７の両方において、隣接領域５５及び隣接領域５７の
輝度が、背景領域５１の輝度よりも暗く表示される横クロストークが生じている場合に、
この横クロストークを両方とも補正することができない。同様に、隣接領域５５及び隣接
領域５７の両方において、隣接領域５５及び隣接領域５７の輝度が、背景領域５１の輝度
よりも明るく表示される横クロストークが生じている場合に、この横クロストークを両方
とも補正することができない。
【００４６】
黒色領域５３を含む水平方向の１ライン分の画像データに対して基準データＲｅｆの階
調値との差分を求めて積分すると、この積分値は、黒色領域５３の階調値が基準データＲ
ｅｆの階調値よりも低いため、負の値となる。この負の値の積分値に一定の調整係数Ｋを
乗算して補正値を求め、求めた補正値を、黒色領域５３を含む水平方向の１ライン分の画
像データに加算して画像データを補正する。これにより、黒色領域５３の隣接領域５７に
生じる横クロストークが低減される。すなわち、黒色領域５３を含む水平方向の１ライン
分の画像データに、補正値を加算することで、この１ライン分の画像データの輝度が低く
補正され、黒色領域５３と背景領域５１との輝度差が低減される。これにより、隣接領域
５７に生じる横クロストークを低減することができる。
しかし、白色領域５２を含む水平方向の１ライン分の画像データに対して、基準データ
Ｒｅｆの階調値との差分を積分して求めた補正値は、白色領域５２の階調値が基準データ
Ｒｅｆの階調値よりも高いため、正の値となる。この正の値の積分値に、一定の調整係数
Ｋを乗算して補正値を求め、求めた補正値を、白色領域５２を含む水平方向の１ライン分
の画像データに加算すると、１ライン分の画像データの輝度が補正前よりも高い値に補正
される。すなわち、黒色領域５３を含む水平方向の１ライン分の画像データに対する補正
とは、逆方向に補正されるため、図３に示す補正後の画像５０に示すように隣接領域５５
には横クロストークが補正前よりも強く表れる。
同様に、従来の補正方法では、隣接領域５５及び隣接領域５７で、これらの領域５５及
び５７の輝度が、背景領域５１の輝度よりも明るく表示される横クロストークが生じる場
合、これらの横クロストークを両方とも補正することができない場合がある。
【００４７】
図４に示す補正前の画像５０は、白色領域５２の隣接領域５５に横クロストークが生じ
、黒色領域５３の隣接領域５７には横クロストークが生じていない場合を示す。
この隣接領域５５に生じる横クロストークを上述の従来の補正方法を用いて補正すると
、隣接領域５５の横クロストークを補正することができるが、横クロストークが生じてい
なかった隣接領域５７に横クロストークを生じさせてしまう場合がある。図４に示す補正
後の画像５０は、隣接領域５５の横クロストークが補正され、隣接領域５７に横クロスト
ークが発生した場合を示す。
【００４８】
これに対し本実施形態の画像補正部３００は、画像データＤ１の階調値と基準データＲ
ｅｆの階調値とを比較器３１５により比較し、画像データＤ１の階調値が基準データＲｅ
ｆの階調値よりも上か下かを判定する。
そして、画像補正部３００は、画像データＤ１の階調値が基準データＲｅｆの階調値よ
りも下である場合、補正係数Ｌを用いて、画像データＤ１の階調値を、基準データＲｅｆ
の階調値から予め設定された範囲内の階調値となるように補正する。また、画像補正部３
００は、画像データＤ１の階調値が基準データＲｅｆの階調値よりも上である場合、補正
係数Ｈを用いて、画像データＤ１の階調値を、基準データＲｅｆの階調値から予め設定さ
れた範囲内の階調値となるように補正する。
この処理動作によって、白色領域５２の隣接領域５５、及び黒色領域５３の隣接領域５
７の輝度が、背景領域５１の輝度よりも明るく（暗く）表示される横クロストークをそれ
ぞれ適切に補正することができる。また、白色領域５２の隣接領域５５、及び黒色領域５
３の隣接領域５７のいずれか一方に生じる横クロストークをそれぞれ適切に補正すること
ができる。
【００４９】
図５は、画像補正部３００の動作を示すフローチャートである。
画像処理部１５３に設けられた処理部により処理された画像データＤ１が画像補正部３
００の減算器３１１及び比較器３１５に入力される（ステップＳ１）。画像補正部３００
は、画像データＤ１の階調値と、基準データＲｅｆの階調値との差分を減算器３１１によ
り求め、画像データＤ２を生成する。画像補正部３００は、第１乗算器３１２に、画像デ
ータＤ２に補正係数Ｌを乗算させて画像データＤ３を生成する（ステップＳ２）。また、
画像補正部３００は、第２乗算器３１３に、画像データＤ２に補正係数Ｈを乗算させて画
像データＤ４を生成する（ステップＳ２）。生成した画像データＤ２及びＤ３は、セレク
ター３１４に入力される。
【００５０】
また、画像補正部３００は、比較器３１５により画像データＤ１の階調値と、基準デー
タＲｅｆの階調値とを比較する。画像補正部３００は、画像データＤ１の階調値が基準デ
ータＲｅｆの階調値よりも小さい場合（ステップＳ３／ＹＥＳ）、積分器３１６に画像デ
ータＤ３を出力する（ステップＳ４）。また、画像補正部３００は、画像データＤ１の階
調値が基準データＲｅｆの階調値以上の場合（ステップＳ３／ＮＯ）、積分器３１６に画
像データＤ４を出力する（ステップＳ５）。
【００５１】
画像補正部３００は、セレクター３１４により選択される画像データＤ３又は画像デー
タＤ４を積分器３１６により積分する（ステップＳ６）。次に、画像補正部３００は、積
分器３１６が水平方向の１ライン分の画像データを積分したか否かを判定する（ステップ
Ｓ７）。否定判定の場合（ステップＳ７／ＮＯ）、画像補正部３００は、積分器３１６に
よる積分を継続する。また、肯定判定の場合（ステップＳ７／ＹＥＳ）、画像補正部３０
０は、積分器３１６の積分値Ｉｎｔに調整係数Ｋを乗算して補正値Ｉｇｒを生成する（ス
テップＳ８）。そして、画像補正部３００は、加算器３２２により、補正値Ｉｇｒと、こ
の補正値Ｉｇｒにタイミングを合わせて遅延させた画像データＤ１とを加算して補正画像
データＤ５を生成する（ステップＳ９）。画像補正部３００は、生成した補正画像データ
Ｄ５を後段の処理部に出力する。
【００５２】
次に、画像補正部３００は、画像データＤ１の入力が終了したか否かを判定する（ステ
ップＳ１０）。否定判定の場合（ステップＳ１０／ＮＯ）、画像補正部３００は、ステッ
プＳ１に戻り、入力される画像データＤ１を処理する。また、肯定判定の場合（ステップ
Ｓ１０／ＹＥＳ）、画像補正部３００は、この処理フローを終了させる。
【００５３】
以上の説明より明らかなように、第１実施形態のプロジェクター１００は、画像補正部
３００と、表示部１１０とを備える。
画像補正部３００は、画像データに基づいて補正値を求める算出部３１０と、算出部３
１０が求めた補正値により画像データを補正する補正部３２０とを備える。
表示部１１０は、マトリクス状に配置された表示画素を有し、補正部３２０が補正した
画像データに基づいて、それぞれの表示画素に水平ライン単位で描画を行うことにより、
画像を表示する。
また、算出部３１０は、複数の補正パラメーターからいずれかを選択し、選択した補正
パラメーターを用いて、水平ラインごとの補正値を求める。
また、補正部３２０は、算出部３１０が算出した水平ラインごとの補正値を用いて画像
データを補正する。
従って、画像データの水平ラインごとに、補正に用いる補正パラメーターを選択し、選
択した補正パラメーターを用いて水平ラインごとの補正値を求めることができる。求めた
補正値により画像データを補正することで、クロストークの発生を抑制し、高品位な画像
を表示することができる。
【００５４】
また、算出部３１０は、画像データに含まれる階調値と、予め設定された基準データＲ
ｅｆの階調値とを比較する比較器３１５を備える。算出部３１０は、比較器３１５の比較
結果に基づき、複数の補正パラメーターからいずれかを選択する。
従って、選択した補正パラメーターを用いて水平ラインごとに補正値を求め、画像デー
タを補正することで、クロストークをより効果的に抑制することができる。
【００５５】
また、算出部３１０が用いる複数の補正パラメーターは、画像が、背景領域５１と輝度
差を有する白色領域５２又は黒色領域５３を含む画像である場合に、白色領域５２又は黒
色領域５３の周囲に生じるクロストークを低減させる補正に用いるパラメーターである。
また、補正パラメーターは、画像データの階調値が基準データＲｅｆの階調値よりも低
い場合にクロストークを補正する補正係数Ｌと、画像データの階調値が基準データＲｅｆ
の階調値よりも高い場合に発生するクロストークを補正する補正係数Ｈとを含む。
このため、白色領域５２又は黒色領域５３の階調値が基準データＲｅｆの階調値よりも
低い場合、又は、白色領域５２又は黒色領域５３の階調値が基準データＲｅｆの階調値よ
りも高い場合であっても、対応する補正係数を選択して画像データを補正できる。従って
、クロストークの発生を抑制することができる。
【００５６】
また、算出部３１０は、クロストークが発生する白色領域５２又は黒色領域５３の周囲
の階調値を、基準データＲｅｆの階調値から所定範囲内の階調値となるように補正する。
従って、補正パラメーターである補正係数Ｌ又は補正係数Ｈを用いて画像データを補正す
ることで、白色領域５２又は黒色領域５３の周囲の階調値を、基準データＲｅｆの階調値
から所定範囲内の階調値に補正することができる。
【００５７】
また、算出部３１０は、画像データに基づき背景領域５１と、白色領域５２又は黒色領
域５３とを含む画像を表示する場合に、背景領域５１の階調値を、基準データＲｅｆの階
調値として用いる。
従って、背景としての背景領域５１の階調値を基準データＲｅｆの階調値として、白色
領域５２又は黒色領域５３の周囲に発生するクロストークを補正することができる。
【００５８】
また、算出部３１０は、減算器３１１と、第１乗算器３１２と、第２乗算器３１３と、
セレクター３１４と、積分器３１６と、第３乗算器３１８とを備える。
減算器３１１は、画像データの階調値と、基準データＲｅｆの階調値との差分を出力す
る。第１乗算器３１２は、減算器３１１から出力される差分に、補正パラメーターとして
の補正係数Ｌを乗算して乗算値を出力する。第２乗算器３１３は、減算器３１１から出力
される差分に、補正パラメーターとしての補正係数Ｈを乗算して乗算値を出力する。セレ
クター３１４は、比較器３１５の比較結果に応じて、第１乗算器３１２が出力する乗算値
と、第２乗算器３１３が出力する乗算値とのいずれか一方を選択する。積分器３１６は、
セレクター３１４により選択される乗算値を１水平ライン分積算して積算値を出力する。
第３乗算器３１８は、積分器３１６により出力される積算値に、調整係数Ｋを乗算して補
正値を算出する。
従って、画像データの階調値と、基準データＲｅｆの階調値との比較結果に基づいて第
１乗算器３１２が出力する乗算値と、第２乗算器３１３が出力する乗算値とのいずれか一
方が選択される。選択された乗算値を１水平ライン分積算した積算値に、調整係数Ｋを乗
算して補正値が算出される。このため、この補正値を用いて画像データを補正することで
、画像に生じるクロストークを抑制し、高品位な画像を表示することができる。
【００５９】
［第２実施形態］
添付図面を参照して本発明の第２実施形態について説明する。図６は、第２実施形態の
画像補正部３５０の構成を示すブロック図である。
第２実施形態の画像補正部３５０は、算出部３６０と、補正部３２０とを備える。算出
部３６０は、減算器（減算部）３１１と、積分器（積算部）３６１と、第１乗算器（第１
乗算部）３６２と、第２乗算器（第２乗算部）３６３と、セレクター（選択部）３６４と
、比較器（比較部）３６５と、ラッチ回路３１７と、第３乗算器（第３乗算部）３１８と
を備える。また、補正部３２０は、遅延器３２１と、加算器３２２とを備える。なお、画
像補正部３５０を構成する機能ブロックの構成のうち、第１実施形態の画像補正部３００
の機能ブロックと同一の機能ブロックについては同一の符号を付す。
【００６０】
第２実施形態の画像補正部３５０は、減算器３１１の後段に積分器３６１を設け、減算
器３１１の出力（画像データＤ２）を積分器３６１に入力させる。積分器３６１は、画像
データＤ１の水平方向１ライン分の期間にわたって画像データＤ２を順次積分（累積）し
、積分値Ｉｎｔを出力する。積分器３６１の出力する積分値Ｉｎｔは、第１乗算器３６２
と、第２乗算器３６３と、比較器３６５とに入力される。
【００６１】
第１乗算器３６２は、積分値Ｉｎｔに補正係数Ｌを乗算して、積分値Ｉｎｔ（Ｌ）を生
成する。第１乗算器３６２は、生成した積分値Ｉｎｔ（Ｌ）をセレクター３６４に出力す
る。
第２乗算器３６３は、積分値Ｉｎｔに補正係数Ｈを乗算して、積分値Ｉｎｔ（Ｈ）を生
成する。第２乗算器３６３は、生成した積分値Ｉｎｔ（Ｈ）をセレクター３６４に出力す
る。
【００６２】
比較器３６５は、積分器３６１から入力される積分値Ｉｎｔを基準値と比較する。第２
実施形態の比較器３６５は、積分値Ｉｎｔが正の値であるか、負の値であるかを判定する
。このため、第２実施形態では、比較器３６５に入力される基準値として「０」を用いる
。比較器３６５は、積分値Ｉｎｔが「０」よりも小さい場合、すなわち、積分値Ｉｎｔが
負の値である場合、第３選択信号をセレクター３６４に出力する。また、比較器３６５は
、積分値Ｉｎｔが「０」以上の場合、すなわち、積分値Ｉｎｔが「０」または正の値であ
る場合、第４選択信号をセレクター３６４に出力する。
【００６３】
セレクター３６４には、積分値Ｉｎｔ（Ｌ）及び積分値Ｉｎｔ（Ｈ）が入力される。ま
た、セレクター３６４には、第３選択信号又は第４選択信号が入力される。
セレクター３６４は、比較器３６５から第３選択信号が入力される場合、積分値Ｉｎｔ
（Ｌ）をラッチ回路３１７に出力する。また、セレクター３６４は、比較器３６５から第
４選択信号が入力される場合、積分値Ｉｎｔ（Ｈ）をラッチ回路３１７に出力する。
【００６４】
ラッチ回路３１７、第３乗算器３１８、加算器３２２及び遅延器３２１の動作は、上述
した第１実施形態と同一である。
すなわち、セレクター３６４から出力される積分値Ｉｎｔ（Ｌ）又は積分値Ｉｎｔ（Ｈ
）をラッチ回路３１７によりラッチする。また、第３乗算器３１８において、ラッチ回路
３１７から出力される積分値Ｉｎｔ（Ｌ）又は積分値Ｉｎｔ（Ｈ）に調整係数Ｋを乗算し
て補正値Ｉｇｒを生成する。また、補正値Ｉｇｒと、この補正値Ｉｇｒにタイミングを合
わせて遅延器３２１により遅延させた画像データＤ１とを加算して補正画像データＤ５を
生成する。画像補正部３００は、生成した補正画像データＤ５を後段の処理部に出力する
。
【００６５】
本第２実施形態においても上述した第１実施形態と同一の効果を得ることができる。す
なわち、画像データの水平ラインごとに、補正に用いる補正パラメーターを選択して、選
択した補正パラメーターを用いて水平ラインごとの補正値を求めることができる。求めた
補正値により画像データを補正することで、クロストークの発生を抑制し、高品位な画像
を表示することができる。
【００６６】
なお、上述した実施形態は本発明を適用した具体的態様の例に過ぎず、本発明を限定す
るものではなく、異なる態様として本発明を適用することも可能である。
例えば、図１に示したプロジェクター１００の各機能部は、機能的構成を示すものであ
って、具体的な実装形態は特に制限されない。つまり、必ずしも各機能部に個別に対応す
るハードウェアが実装される必要はなく、一つのプロセッサーがプログラムを実行するこ
とで複数の機能部の機能を実現する構成とすることも勿論可能である。また、上記実施形
態においてソフトウェアで実現される機能の一部をハードウェアで実現してもよく、また
、ハードウェアで実現される機能の一部をソフトウェアで実現してもよい。その他、プロ
ジェクターの他の各部の具体的な細部構成についても、本発明の趣旨を逸脱しない範囲で
任意に変更可能である。
【００６７】
また、図５に示すフローチャートの処理単位は、プロジェクター１００の制御部１７０
の処理を理解容易にするために、主な処理内容に応じて分割したものである。図５のフロ
ーチャートに示す処理単位の分割の仕方や名称によって本発明が制限されることはない。
また、制御部１７０の処理は、処理内容に応じて、さらに多くの処理単位に分割すること
もできるし、１つの処理単位がさらに多くの処理を含むように分割することもできる。ま
た、上記のフローチャートの処理順序も、図示した例に限られるものではない。
【符号の説明】
【００６８】
５…リモコン、５０…画像、５１…背景領域、５２…白色領域、５３…黒色領域、５５
、５７…隣接領域、１００…プロジェクター、１１０…投射部、１１１…光源部、１１２
…光変調装置、１１３…液晶パネル、１１５…投射光学系、１２１…光源駆動部、１２２
…光変調装置駆動部、１３１…操作パネル、１３３…入力処理部、１３５…リモコン受光
部、１３７…無線通信部、１５１…Ｉ／Ｆ部、１５３…画像処理部、１５５…フレームメ
モリー、１６０…記憶部、１７０…制御部、１８０…バス、２００…画像供給装置、３０
０、３５０…画像補正部、３１０、３６０…算出部、３１１…減算器（減算部）、３１２
、３６２…第１乗算器（第１乗算部）、３１３、３６３…第２乗算器（第２乗算部）、３
１４、３６４…セレクター（選択部）、３１５、３６５…比較器（比較部）、３１６、３
６１…積分器（積算部）、３１７…ラッチ回路、３１８…第３乗算器、３２１…遅延器、
３２２…加算器、ＳＣ…スクリーン。
【図１】
2018072412.tif 000003
【図２】
2018072412.tif 000004
【図３】
2018072412.tif 000005
【図４】
2018072412.tif 000006
【図５】
2018072412.tif 000007
【図６】
2018072412.tif 000008